(57)【要約】【課題】庫内と庫外とを断熱する断熱材を埋設状態で貫通するハーネスにより断熱材の断熱性が低下してしまうことを極力防止できる冷蔵庫を提供する。【解決手段】冷蔵庫１の庫内および庫外にそれぞれ設けられた複数の負荷の駆動を制御する制御装置４２を、庫内に設けられた負荷の駆動を制御する制御装置４３，４４と、庫外に設けられた負荷の駆動を制御する制御装置４５とに分離して構成し、制御装置４３，４４と制御装置４５との間で通信するハーネス４６，４７を庫内および庫外を断熱する断熱材３に埋設状態で貫通した。断熱材３を埋設状態で貫通するハーネス４６，４７としては、制御装置４３，４４と制御装置４５との間で通信するのに必要な最小限のラインに抑えられる。【選択図】図１
2009002619.tif 000002
【特許請求の範囲】
【請求項１】
断熱材で断熱された庫内および庫外にそれぞれ設けられた複数の負荷と、前記複数の負荷の駆動を制御する制御手段とを備えた冷蔵庫において、
前記制御手段は、
前記庫内に設けられた負荷の駆動を制御する庫内制御ユニットと、
前記庫外に設けられた負荷の駆動を制御する庫外制御ユニットとに分離して構成され、
前記庫内制御ユニットと前記庫外制御ユニットとの間で通信するハーネスを前記断熱材に埋設状態で貫通したことを特徴とする冷蔵庫。
【請求項２】
前記庫内は複数の部屋に分割され、
前記庫内制御ユニットは、前記複数の部屋に対応した複数の小制御ユニットに分離して構成されていることを特徴とする請求項１記載の冷蔵庫。
【請求項３】
前記庫外制御ユニットは、前記複数の小制御ユニットのうち最も近いものと前記ハーネスで接続されていることを特徴とする請求項２記載の冷蔵庫。
【請求項４】
前記複数の小制御ユニットのうち何れか１つを主制御ユニットとし、
前記庫外制御ユニットは、前記主制御ユニットと前記ハーネスで接続されていることを特徴とする請求項２記載の冷蔵庫。
【発明の詳細な説明】
【技術分野】
【０００１】
本発明は、断熱材で断熱された庫内および庫外にそれぞれ設けられた複数の負荷と、これら複数の負荷の駆動を制御する制御手段とを備えた冷蔵庫に関する。
【背景技術】
【０００２】
冷蔵庫において、庫内に設けられた負荷（例えば温度センサ、除霜ヒータなど）や庫外に設けられた負荷（例えば冷凍サイクルのコンプレッサ）の駆動を制御する制御装置は、一般的に冷蔵庫の背面に設けられた機械室、つまり、庫外に設置されている。従って、庫内に設けられた負荷と庫外に設置された制御装置とをハーネスで接続し、そのハーネスが庫内と庫外とを断熱する断熱材を埋設状態で貫通した構成となっている（例えば、特許文献１参照）。
【特許文献１】特開２００５−６９５９６号公報
【発明の開示】
【発明が解決しようとする課題】
【０００３】
ところで、近年では、冷蔵庫の機能の多様化により、庫内に設けられる負荷の種類が増えてきており、これに伴ってハーネスの数も増え、多数のハーネスが断熱材を埋設状態で貫通する構成となりつつある。そのため、断熱材においてハーネス部分でヒートリークが発生しやすくなり、断熱材の断熱性が低下してしまうという問題がある。
【０００４】
本発明は上記事情に鑑みてなされたもので、その目的は、庫内と庫外とを断熱する断熱材を埋設状態で貫通するハーネスにより断熱材の断熱性が低下してしまうことを極力防止できる冷蔵庫を提供することにある。
【課題を解決するための手段】
【０００５】
本発明の冷蔵庫は、断熱材で断熱された庫内および庫外にそれぞれ設けられた複数の負荷と、前記複数の負荷の駆動を制御する制御手段とを備えたものにおいて、前記制御手段は、前記庫内に設けられた負荷の駆動を制御する庫内制御ユニットと、前記庫外に設けられた負荷の駆動を制御する庫外制御ユニットとに分離して構成され、前記庫内制御ユニットと前記庫外制御ユニットとの間で通信するハーネスを前記断熱材に埋設状態で貫通したことに特徴を有する。
【発明の効果】
【０００６】
本発明の冷蔵庫によれば、庫内および庫外にそれぞれ設けられた複数の負荷の駆動を制御する制御手段を、庫内に設けられた負荷の駆動を制御する庫内制御ユニットと庫外に設けられた負荷の駆動を制御する庫外制御ユニットとに分離して構成し、庫内制御ユニットと庫外制御ユニットとの間で通信するハーネスを庫内および庫外を断熱する断熱材に埋設状態で貫通した。そのため、断熱材を埋設状態で貫通するハーネスとしては、庫内制御ユニットと庫外制御ユニットとの間で通信するのに必要な最小限のラインに抑えることができる。これにより、断熱材においてハーネスが埋設状態で貫通した部分を少なくすることができ、断熱材を埋設状態で貫通するハーネスにより断熱材の断熱性が低下してしまうことを極力防止できる。
【発明を実施するための最良の形態】
【０００７】
（第１の実施形態）
以下、本発明の第１の実施形態について図１ないし図７を参照しながら説明する。
図１は冷蔵庫１の全体構成を概略的に示す縦断側面図である。冷蔵庫１の断熱箱体２は、当該冷蔵庫１の外箱と内箱との間に、例えば硬質ウレタンフォームや真空断熱材からなる断熱材３が配設された構成となっており、これにより、庫内と庫外とが断熱されている。断熱箱体２内（庫内）は、断熱仕切壁２ａ，２ｂ，２ｃにより複数（この場合５つ）の部屋に仕切られており、これらのうち４つの部屋は、それぞれ図１中上段から順に示す冷蔵室４、切替室５、野菜室６、冷凍室７となっている。また、残り１つの部屋は、切替室５とともに左右方向に並ぶ製氷室（図示せず）となっている。切替室５は、ユーザの操作により複数の温度帯を切り替えることが可能に構成されており、冷凍室、パーシャル室、チルド室、冷蔵室などに切り替えて使用できるようになっている。
【０００８】
冷蔵室４の前面部にはヒンジ開閉式の扉８が設けられている。また、冷蔵室４（冷蔵庫１）の前面側上部には、扉８に開放方向への力を作用させるための開扉装置９が当該扉８のヒンジ（図示せず）側とは反対側に位置して設けられている。開扉装置９は、電磁ソレノイド１０によりプッシュロッド（図示せず）を前方（図１では左方）へ付勢して扉８を開放方向へ押圧する構成となっている。
【０００９】
冷蔵室４の天井部には庫内灯１１が設けられている。また、冷蔵室４内には、当該冷蔵室４内の温度を検出するための冷蔵室温度センサ１２、扉８の開閉を検知する扉開閉検知スイッチ１３（図３参照）、当該冷蔵室４内の臭気成分を除去する脱臭装置１４などが設けられている。
【００１０】
冷凍室７の前面部には、引出し式の扉１５が設けられており、この扉１５の背面部には、貯蔵容器１６が連結されている。冷凍室７内には、当該冷凍室７内の温度を検出するための冷凍室温度センサ１７、扉１５の開閉を検知する扉開閉検知スイッチ１８（図４参照）などが設けられている。
【００１１】
切替室５，野菜室６の前面部には、引出し式の扉１９，２０がそれぞれ設けられており、これら扉１９，２０の背面部には、貯蔵容器２１，２２がそれぞれ連結されている。切替室５内には、当該切替室５内の温度を検出するための切替室温度センサ２３が設けられ、野菜室６内には、当該野菜室６内の温度を検出するための野菜室温度センサ２４が設けられている。なお、製氷室の前面部には、背面部に貯氷容器が連結された引出し式の扉（図示せず）が設けられている。また、製氷室内には、製氷機２５（図４参照）や当該製氷室内の温度を検出するための製氷室温度センサ２６（図４参照）が設けられている。
【００１２】
野菜室６の背壁部には、冷蔵用冷却室２７および冷凍用冷却室５７が、前後２段に重なるように設けられている。冷蔵用冷却室２７内には、冷蔵室４，野菜室６を冷却するための冷蔵用冷却器２８および冷蔵用冷却ファン２９が設けられている。冷蔵用冷却器２８には、当該冷蔵用冷却器２８に付着した霜を溶かすための冷蔵用冷却器除霜ヒータ３０（図３参照）が添設されており、冷蔵用冷却器２８の近傍には、当該冷蔵用冷却器２８の温度を検出するための冷蔵用冷却器温度センサ３１（図３参照）が設けられている。
【００１３】
冷凍用冷却室５７内には、切替室５，冷凍室７，製氷室を冷却するための冷凍用冷却器３２および冷凍用冷却ファン３３（図４参照）が設けられている。冷凍用冷却器３２には、当該冷凍用冷却器３２に付着した霜を溶かすための冷凍用冷却器除霜ヒータ３４（図４参照）が添設されており、冷凍用冷却器３２の近傍には、当該冷凍用冷却器３２の温度を検出するための冷凍用冷却器温度センサ３５（図４参照）が設けられている。なお、詳しく図示しないが、冷蔵用冷却器２８および冷蔵用冷却ファン２９と、冷凍用冷却器３２および冷凍用冷却ファン３３とは、左右にずれた位置に設けられている。
【００１４】
冷蔵用冷却ファン２９が駆動されると、冷蔵用冷却器２８により生成された冷気が、図１中矢印で示すように、冷蔵用冷却室２７の上部から冷蔵用ダクト３６を通して複数の吹出口から冷蔵室４内に供給され、更に、野菜室６内に供給された後、冷蔵用冷却室２７の下部に戻されるといった循環を行うようになっている。こうして、冷蔵室４および野菜室６内は、例えば３℃〜５℃の冷蔵温度帯に冷却されるようになっている。
【００１５】
また、冷凍用冷却ファン３３が駆動されると、冷凍用冷却器３２により生成された冷気が、冷凍用冷却室５７の上部から冷凍用ダクト（図示せず）を通って切替室５，製氷室，冷凍室７に供給された後、冷凍用冷却室５７の下部に戻されるといった循環を行うようになっている。こうして、冷凍室７および製氷室は、例えば−１８℃以下の冷凍温度帯に冷却されるようになっている。なお、冷凍用ダクト内には、当該冷凍用ダクトの通路を開閉して切替室５内への冷気の供給を制御するダンパ装置３７（図４参照）が配設されている。
【００１６】
詳しく図示しないが、冷蔵庫１内には、コンプレッサ３８、三方弁３９（図５参照）、冷蔵用冷却器２８、冷凍用冷却器３２、凝縮器、アキュムレータ、キャピラリチューブ、逆止弁などを冷媒パイプにより閉ループに接続した冷凍サイクルが組み込まれている。
【００１７】
この冷凍サイクルは、三方弁３９を冷蔵用冷却器２８側あるいは冷凍用冷却器３２側に切り替えることにより、冷蔵冷却モードと冷凍冷却モードとに切り替わるようになっている。冷蔵冷却モードでは、コンプレッサ３８の駆動により、冷媒が凝縮器を通った後、キャピラリチューブを通って冷蔵用冷却器２８に供給され、コンプレッサ３８に戻される。冷凍冷却モードでは、コンプレッサ３８の駆動により、冷媒が凝縮器を通った後、キャピラリチューブを通って冷凍用冷却器３２に供給され、アキュムレータ、逆止弁を順に通ってコンプレッサ３８に戻される。
【００１８】
冷蔵庫１の背面側下部には機械室４０が設けられており、この機械室４０には、上記したコンプレッサ３８、凝縮器のほか、これらコンプレッサ３８および凝縮器を冷却するための機械室用冷却ファン４１（図５参照）などが配設されている。
【００１９】
次に、冷蔵庫１の動作全般を制御する制御装置４２（制御手段に相当）について説明する。
制御装置４２は、冷蔵室４内，野菜室６内に設けられた負荷（上記した庫内灯１１、野菜室温度センサ２４など）の駆動を制御する冷蔵ユニット用制御装置４３（庫内制御ユニットに相当）と、切替室５内，冷凍室７内，製氷室内に設けられた負荷（冷凍室温度センサ１７、切替室温度センサ２３、製氷機２５など）の駆動を制御する冷凍ユニット用制御装置４４（庫内制御ユニットに相当）と、庫外に設けられた負荷（上記したコンプレッサ３８、三方弁３９など）の駆動を制御する庫外ユニット用制御装置４５（庫外制御ユニットに相当）とに分離された構成となっている。
【００２０】
冷蔵ユニット用制御装置４３は、冷蔵用ダクト３６（図１では右側下部）において、冷蔵室４に供給される冷気の流れを妨げず、しかも、冷蔵室４内に設けられた負荷のハーネス類（図示せず）が集合している部分に配置されている。冷凍ユニット用制御装置４４は、冷凍室７の奥側上部（図１では右側上部）において、冷凍室７に供給される冷気の流れを妨げず、しかも、冷凍室７内に設けられた負荷のハーネス類（図示せず）が集合している部分に配置されている。庫外ユニット用制御装置４５は、機械室４０の上部に配置されている。
【００２１】
冷蔵ユニット用制御装置４３と冷凍ユニット用制御装置４４とは、例えば電源ラインと通信ラインの２ラインからなるハーネス４６により接続されており、このハーネス４６は、内箱の裏面に沿って断熱材３に埋設されている。また、冷凍ユニット用制御装置４４と庫外ユニット用制御装置４５とは、例えば電源ラインと通信ラインの２ラインからなるハーネス４７により接続されており、このハーネス４７は、断熱材３を横断するようにして埋設状態で貫通している。
【００２２】
そして、図２に示すように、冷蔵ユニット用制御装置４３を主体として冷蔵ユニット４８が構成され、冷凍ユニット用制御装置４４を主体として冷凍ユニット４９が構成され、庫外ユニット用制御装置４５を主体として庫外ユニット５０が構成されている。ここで、これら冷蔵ユニット４８，冷凍ユニット４９，庫外ユニット５０の電気的構成について図３ないし図５を参照して説明する。
【００２３】
図３は冷蔵ユニット４８の電気的構成を概略的に示すブロック図である。冷蔵ユニット用制御装置４３は、制御部５１と通信部５２とを備えており、制御部５１には、上記した電磁ソレノイド１０、庫内灯１１、冷蔵室温度センサ１２、扉開閉検知スイッチ１３、脱臭装置１４、野菜室温度センサ２４、冷蔵用冷却器２８、冷蔵用冷却ファン２９、冷蔵用冷却器除霜ヒータ３０、冷蔵用冷却器温度センサ３１などが、それぞれ冷蔵室４内に設けられた負荷としてハーネス（図示せず）により接続されている。通信部５２には、冷凍ユニット用制御装置４４がハーネス４６により接続されて通信可能となっているとともに（図２中矢印Ａ参照）、ハーネス４６，４７を介して、庫外ユニット用制御装置４５と直接通信可能となっている（図２中矢印Ｂ参照）。
【００２４】
このような構成により、冷蔵ユニット用制御装置４３は、冷蔵室温度センサ１２、扉開閉検知スイッチ１３、野菜室温度センサ２４、冷蔵用冷却器温度センサ３１などからの入力信号に基づいて、予め記憶された運転制御プログラムに従い、電磁ソレノイド１０、庫内灯１１、脱臭装置１４、冷蔵用冷却器２８、冷蔵用冷却ファン２９、冷蔵用冷却器除霜ヒータ３０などの動作を制御する。また、冷蔵ユニット用制御装置４３は、冷蔵室４内に設けられた負荷からの入力信号を、運転制御プログラムに従い、冷凍ユニット用制御装置４４や庫外ユニット用制御装置４５に送信可能となっている。
【００２５】
図４は冷凍ユニット４９の電気的構成を概略的に示すブロック図である。冷凍ユニット用制御装置４４は、制御部５３と通信部５４とを備えており、制御部５３には、上記した冷凍室温度センサ１７、扉開閉検知スイッチ１８、切替室温度センサ２３、製氷機２５、製氷室温度センサ２６、冷凍用冷却器３２、冷凍用冷却ファン３３、冷凍用冷却器除霜ヒータ３４、冷凍用冷却器温度センサ３５、ダンパ装置３７などが、それぞれ冷凍室７内に設けられた負荷としてハーネス（図示せず）により接続されている。通信部５４には、冷蔵ユニット用制御装置４３がハーネス４６により接続されて通信可能となっているとともに（図２中矢印Ａ参照）、庫外ユニット用制御装置４５がハーネス４７により接続されて通信可能となっている（図２中矢印Ｃ参照）。
【００２６】
このような構成により、冷凍ユニット用制御装置４４は、冷凍室温度センサ１７、扉開閉検知スイッチ１８、切替室温度センサ２３、製氷室温度センサ２６、冷凍用冷却器温度センサ３５などからの入力信号に基づいて、予め記憶された運転制御プログラムに従い、製氷機２５、冷凍用冷却器３２、冷凍用冷却ファン３３、冷凍用冷却器除霜ヒータ３４、ダンパ装置３７などの動作を制御する。また、冷凍ユニット用制御装置４４は、冷凍室７内に設けられた負荷からの入力信号を、運転制御プログラムに従い、冷蔵ユニット用制御装置４３や庫外ユニット用制御装置４５に送信可能となっている。
【００２７】
図５は庫外ユニット５０の電気的構成を概略的に示すブロック図である。庫外ユニット用制御装置４５は、制御部５５と通信部５６とを備えており、制御部５５には、コンプレッサ３８、三方弁３９、機械室用冷却ファン４１などが、それぞれ庫外に設けられた負荷としてハーネス（図示せず）により接続されている。通信部５６には、冷凍ユニット用制御装置４４がハーネス４７により接続されて通信可能となっているとともに（図２中矢印Ｃ参照）、ハーネス４６，４７を介して、冷蔵ユニット用制御装置４３と直接通信可能となっている（図２中矢印Ｂ参照）。
【００２８】
このような構成により、庫外ユニット用制御装置４５は、冷蔵ユニット用制御装置４３あるいは冷凍ユニット用制御装置４４からの入力信号に基づいて、予め記憶された運転制御プログラムに従い、コンプレッサ３８、三方弁３９、機械室用冷却ファン４１などの動作を制御する。また、庫外ユニット用制御装置４５は、冷蔵室４内，野菜室６内に設けられた負荷や切替室５内，冷凍室７内，製氷室内に設けられた負荷の駆動を制御するための制御信号を、運転制御プログラムに従い、冷蔵ユニット用制御装置４３や冷凍ユニット用制御装置４４に送信可能となっている。
【００２９】
このように、これら冷蔵ユニット用制御装置４３、冷凍ユニット用制御装置４４、庫外ユニット用制御装置４５は、それぞれに接続された負荷の駆動を制御するのみならず、各種の信号を相互に通信するようになっている。
【００３０】
そして、このように構成された制御装置４２（冷蔵ユニット用制御装置４３、冷凍ユニット用制御装置４４、庫外ユニット用制御装置４５）は、冷蔵室温度センサ１２および冷凍室温度センサ１７の検出温度などに基づいて三方弁３９を切り替え、冷蔵冷却モードと冷凍冷却モードとを交互に切り替えながら冷却運転を実行する。これにより、冷蔵室４内，切替室５内，野菜室６内，冷凍室７内，製氷室内の温度が、それぞれ予め設定された目標冷却温度付近に維持されるようになっている。
【００３１】
次に、上記した構成の作用について温度制御を例にして説明する。ここでは、
（１）冷蔵室４の温度制御をする場合
（２）冷蔵室４および冷凍室７の温度制御する場合
に分けて説明を行う。
【００３２】
（１）冷蔵室４の温度制御をする場合
図６に示すように、冷蔵ユニット用制御装置４３は、冷蔵室温度センサ１２からの入力信号に基づいて、冷蔵室４内の温度を検出する（ステップＳ１）。そして、検出した冷蔵室４内の温度を温度データとして庫外ユニット用制御装置４５に送信する（ステップＳ２）。
【００３３】
庫外ユニット用制御装置４５は、冷蔵ユニット用制御装置４３から温度データを受信したか否かを監視しており（ステップＳ３にてＮＯ）、温度データを受信すると（ステップＳ３にてＹＥＳ）、ステップＳ４に移行して、冷蔵室４内の温度と予め設定された目標冷却温度とを比較する。冷蔵室４内の温度が目標冷却温度よりも大きい場合（冷蔵室温度＞目標冷却温度）には（ステップＳ４にてＹＥＳ）、庫外ユニット用制御装置４５は、コンプレッサ３８の駆動をオンして（ステップＳ５）、冷蔵室４内の冷却を行う。一方、冷蔵室４内の温度が目標冷却温度以下の場合（冷蔵室温度≦目標冷却温度）には（ステップＳ４にてＮＯ）、庫外ユニット用制御装置４５は、コンプレッサ３８の駆動をオフして（ステップＳ６）、冷蔵室４内の冷却を停止する。
【００３４】
（２）冷蔵室４および冷凍室７の温度制御する場合
図７に示すように、冷蔵ユニット用制御装置４３は、冷蔵室温度センサ１２からの入力信号に基づいて、冷蔵室４内の温度を検出する（ステップＳ１１）。そして、検出した冷蔵室４内の温度を温度データとして庫外ユニット用制御装置４５に送信する（ステップＳ１２）。また、冷凍ユニット用制御装置４４は、冷凍室温度センサ１７からの入力信号に基づいて、冷凍室７内の温度を検出する（ステップＳ１３）。そして、検出した冷凍室７内の温度を温度データとして庫外ユニット用制御装置４５に送信する（ステップＳ１４）。
【００３５】
庫外ユニット用制御装置４５は、冷蔵ユニット用制御装置４３あるいは冷凍ユニット用制御装置４４から温度データを受信したか否かを監視しており（ステップＳ１５にてＮＯ）、温度データを受信すると（ステップＳ１５にてＹＥＳ）、ステップＳ１６に移行して、冷蔵室４内の温度と予め設定された冷蔵室４の目標冷却温度とを比較する。冷蔵室４内の温度が目標冷却温度よりも大きい場合（冷蔵室温度＞目標冷却温度）には（ステップＳ１６にてＹＥＳ）、庫外ユニット用制御装置４５は、冷蔵室冷却フラグをセットする（ステップＳ１７）。一方、冷蔵室４内の温度が目標冷却温度以下の場合（冷蔵室温度≦目標冷却温度）には（ステップＳ１６にてＮＯ）、庫外ユニット用制御装置４５は、冷蔵室冷却フラグをリセットする（ステップＳ１８）。
【００３６】
次に、庫外ユニット用制御装置４５は、ステップＳ１９に移行して、冷凍室７内の温度と予め設定された冷凍室７の目標冷却温度とを比較する。冷凍室７内の温度が目標冷却温度よりも大きい場合（冷凍室温度＞目標冷却温度）には（ステップＳ１９にてＹＥＳ）、庫外ユニット用制御装置４５は、冷凍室冷却フラグをセットする（ステップＳ２０）。一方、冷凍室７内の温度が目標冷却温度以下の場合（冷凍室温度≦目標冷却温度）には（ステップＳ１９にてＮＯ）、庫外ユニット用制御装置４５は、冷凍室冷却フラグをリセットする（ステップＳ２１）。
【００３７】
次に、庫外ユニット用制御装置４５は、ステップＳ２２に移行して、冷凍室冷却フラグがセットされているか否かを判断する。冷凍室冷却フラグがセットされている場合には（ステップＳ２２にてＹＥＳ）、庫外ユニット用制御装置４５は、三方弁３９を冷凍用冷却器３２側に切り替えて（ステップＳ２３）、コンプレッサ３８および機械室用冷却ファン４１の駆動をオンし（ステップＳ２６）、冷凍室７内の冷却を行う。一方、冷凍室冷却フラグがセットされていない場合には（ステップＳ２２にてＮＯ）、庫外ユニット用制御装置４５は、ステップＳ２４に移行して、冷蔵室冷却フラグがセットされているか否かを判断する。冷蔵室冷却フラグがセットされている場合には（ステップＳ２４にてＹＥＳ）、庫外ユニット用制御装置４５は、三方弁３９を冷蔵用冷却器２８側に切り替えて（ステップＳ２５）、コンプレッサ３８および機械室用冷却ファン４１の駆動をオンし（ステップＳ２６）、冷蔵室４内の冷却を行う。一方、冷蔵室冷却フラグがセットされていない場合には（ステップＳ２４にてＮＯ）、庫外ユニット用制御装置４５は、コンプレッサ３８および機械室用冷却ファン４１の駆動をオフし（ステップＳ２７）、ステップＳ１５に戻り、冷蔵ユニット用制御装置４３あるいは冷凍ユニット用制御装置４４から温度データを受信したか否かを監視する。
【００３８】
以上に説明したように本実施形態によれば、冷蔵庫１の庫内および庫外にそれぞれ設けられた複数の負荷の駆動を制御する制御装置４２を、庫内に設けられた負荷の駆動を制御する冷蔵ユニット用制御装置４３，冷凍ユニット用制御装置４４と、庫外に設けられた負荷の駆動を制御する庫外ユニット用制御装置４５とに分離して構成し、制御装置４３，４４と庫外ユニット用制御装置４５との間で通信するハーネス４６，４７を庫内および庫外を断熱する断熱材３に埋設状態で貫通した。そのため、断熱材３を埋設状態で貫通するハーネス４６，４７としては、制御装置４３，４４と庫外ユニット用制御装置４５との間の通信に必要な最小限のライン（電源ラインと通信ラインの２ライン）に抑えることができる。これにより、断熱材３においてハーネス４６，４７が埋設状態で貫通した部分を少なくすることができ、断熱材３を埋設状態で貫通するハーネス４６，４７により断熱材３の断熱性が低下してしまうことを極力防止できる。
【００３９】
庫内に設けられた負荷のハーネスは、冷蔵ユニット用制御装置４３あるいは冷凍ユニット用制御装置４４に接続すればよく、庫外ユニット用制御装置４５に接続する必要はない。従って、庫内に設けられた負荷のハーネスを短くすることができコスト削減を図ることができる。
【００４０】
（第２の実施形態）
次に、本発明の第２の実施形態について図８を参照しながら説明する。なお、上述した第１の実施形態と同一の部分については説明を省略し、異なる部分についてのみ説明する。
上述した第１の実施形態では、庫内制御ユニットを、冷蔵室４内および野菜室６内に設けられた負荷の駆動を制御する冷蔵ユニット用制御装置４３と、切替室５内，冷凍室７内，製氷室内に設けられた負荷の駆動を制御する冷凍ユニット用制御装置４４とに分離して構成した。
【００４１】
本実施形態では、図８に示すように、制御装置６１（制御手段に相当）の庫内制御ユニットは、冷蔵室４，切替室５，野菜室６，冷凍室７，製氷室に対応して、それぞれの室内に設けられた負荷の駆動を制御する冷蔵室小ユニット用制御装置６２，切替室小ユニット用制御装置６３，野菜室小ユニット用制御装置６４，冷凍室小ユニット用制御装置６５，製氷室小ユニット用制御装置６６（何れも小制御ユニットに相当）に分離して構成されている。そして、これら小ユニット用制御装置６２〜６６をそれぞれ主体として、冷蔵室小ユニット６７，切替室小ユニット６８，野菜室小ユニット６９，冷凍室小ユニット７０，製氷室小ユニット７１が構成されている。
【００４２】
また、各小ユニット用制御装置６２〜６６間は、例えば電源ラインと通信ラインの２ラインからなり断熱材３に埋没されたハーネス７２ａ〜７２ｄによりそれぞれ接続されている。
【００４３】
制御装置６１は、これら小ユニット用制御装置６２〜６６のうち庫外ユニット用制御装置４５に最も近い位置に配置された冷凍室小ユニット用制御装置６５と庫外ユニット用制御装置４５との間で、ハーネス７２ｅで接続され各種の情報を通信する。
【００４４】
図１に示すように、冷蔵室４と野菜室６は上下に離れた位置に配置され、冷凍室７と切替室５（製氷室）は上下に離れた位置に配置されているが、本実施形態によれば、庫内制御ユニットを、冷蔵室４，切替室５，野菜室６，冷凍室７，製氷室ごとに小ユニット用制御装置６２〜６６として分離して構成したので、これら小ユニット用制御装置６２〜６６により、各室内に設けられた負荷をそれぞれ効率よく制御することができる。
【００４５】
また、これら小ユニット用制御装置６２〜６６のうち庫外ユニット用制御装置４５に最も近い位置に配置された冷凍室小ユニット用制御装置６５と庫外ユニット用制御装置４５との間で、各種の情報を通信するように構成したので、冷凍室小ユニット用制御装置６５と庫外ユニット用制御装置４５とを接続するハーネス７２ｅを短くすることができる。これにより、冷凍室小ユニット用制御装置６５と庫外ユニット用制御装置４５との間においてハーネス７２ｅが断熱材３を埋没状態で貫通した部分を少なくすることができ、断熱材３の断熱性が低下してしまうことを一層防止できる。また、ハーネスのコスト削減を図ることができる。
【００４６】
（第３の実施形態）
次に、本発明の第３の実施形態について図９を参照しながら説明する。なお、上述した第１の実施形態と同一の部分については説明を省略し、異なる部分についてのみ説明する。
【００４７】
図９に示すように、本実施形態では、冷凍ユニット８１の冷凍ユニット用制御装置８２が主制御ユニットとして設定されており、制御装置８３（制御手段に相当）は、冷凍ユニット用制御装置８２と庫外ユニット用制御装置４５との間で各種の情報を通信する（図９中矢印Ｄ参照）。また、冷蔵ユニット用制御装置４３と庫外ユニット用制御装置４５との間では、冷凍ユニット用制御装置８２を経由して通信を行う（図９中矢印Ｄおよび矢印Ｅ参照）。
【００４８】
このような構成により、制御装置８３は、冷蔵ユニット用制御装置４３と冷凍ユニット用制御装置８２と庫外ユニット用制御装置４５との間で、冷凍ユニット用制御装置８２を中心として各種の情報を相互に通信する。
【００４９】
本実施形態によれば、冷蔵ユニット用制御装置４３、冷凍ユニット用制御装置８２、庫外ユニット用制御装置４５のうち何れか１つを主制御ユニット（本実施形態では冷凍ユニット用制御装置８２）とし、この主制御ユニットと庫外ユニット用制御装置４５との間で通信する構成とした。例えば、各制御装置４３，８２，４５の機能や性能に差がある場合に、これらのうち優れた制御装置を主制御ユニットとすることにより、この主制御ユニットを中心として各ユニット４８，８１，５０の制御を適切に行うことができる。
【００５０】
また、本実施形態においても、庫外ユニット用制御装置４５に最も近い位置に配置された冷凍ユニット用制御装置８２と庫外ユニット用制御装置４５との間で、各種の情報を通信するので、冷凍ユニット用制御装置８２と庫外ユニット用制御装置４５とを接続するハーネス４７を短くすることができる。これにより、冷凍ユニット用制御装置８２と庫外ユニット用制御装置４５との間においてハーネス４７が断熱材３を埋没状態で貫通した部分を少なくすることができ、断熱材３の断熱性が低下してしまうことを一層防止できる。また、ハーネスのコスト削減を図ることができる。
【００５１】
（その他の実施形態）
本発明は、上述した各実施形態にのみ限定されるものではなく、次のような変形または拡張が可能である。
第１の実施形態では、庫内制御ユニットを冷蔵ユニット用制御装置４３と冷凍ユニット用制御装置４４とに分離したものを示したが、例えば冷蔵庫１の上段側の冷蔵室４内，切替室５内，製氷室内に設けられた負荷の駆動を制御する上段制御ユニットと、冷蔵庫１の下段側の野菜室６内，冷凍室７内に設けられた負荷の駆動を制御する下段制御ユニットとに分離する構成としてもよい。
【００５２】
第２の実施形態において、冷凍室小ユニット用制御装置６５を主制御ユニットとして設定し、この冷凍室小ユニット用制御装置６５を中心として各小ユニット６７〜７１の制御を行うようにしてもよい。
ハーネス４６，４７，７２ａ〜７２ｅとしては、直流電源ラインに各種の情報を重畳させて通信することで、１ラインに抑えることも可能である。
庫内に設けられる負荷としては、上述の各実施形態に示したものに限られるものではなく、例えば冷蔵庫１の機能の多様化により庫内に新たに設けられる負荷も全て対象となり得る。
【００５３】
また、冷蔵庫１における各室の構成や配置は様々な変更が可能であり、これに伴って、庫内制御ユニットや小制御ユニットの構成も適宜変更することが可能である。
本発明は、上述した冷蔵庫１のように冷蔵機能および冷凍機能を備えた冷蔵庫のみならず、冷蔵専用機や冷凍専用機にも適用することができる。
【図面の簡単な説明】
【００５４】
【図１】本発明の第１の実施形態を示すものであり、冷蔵庫の全体構成を概略的に示す縦断側面図
【図２】庫内制御ユニットおよび庫外制御ユニットの接続構成を概略的に示すブロック図
【図３】冷蔵ユニットの電気的構成を概略的に示すブロック図
【図４】冷凍ユニットの電気的構成を概略的に示すブロック図
【図５】庫外ユニットの電気的構成を概略的に示すブロック図
【図６】冷蔵室の温度制御の内容を示すフローチャート
【図７】冷蔵室および冷凍室の温度制御の内容を示すフローチャート
【図８】本発明の第２の実施形態を示す図２相当図
【図９】本発明の第３の実施形態を示す図２相当図
【符号の説明】
【００５５】
図面中、１は冷蔵庫、３は断熱材、４は冷蔵室（部屋）、５は切替室（部屋）、６は野菜室（部屋）、７は冷凍室（部屋）、１０，１１，１２，１３，１４，２４，２９，３０，３１は冷蔵室（庫内）に設けられた負荷、１７，１８，２３，２５，２６，３３，３４，３５，３７は冷凍室（庫内）に設けられた負荷、３８，３９，４１は庫外に設けられた負荷、４２，６１，８３は制御装置（制御手段）、４３は冷蔵ユニット用制御装置（庫内制御ユニット）、４４は冷凍ユニット用制御装置（庫内制御ユニット）、４５は庫外ユニット用制御装置（庫外制御ユニット）、４６，４７，７２ａ〜７２ｅはハーネス、６２〜６６は小ユニット制御装置（小制御ユニット）、８２は冷凍ユニット用制御装置（主制御ユニット）を示す。
【図１】
2009002619.tif 000003
【図２】
2009002619.tif 000004
【図３】
2009002619.tif 000005
【図４】
2009002619.tif 000006
【図５】
2009002619.tif 000007
【図６】
2009002619.tif 000008
【図７】
2009002619.tif 000009
【図８】
2009002619.tif 000010
【図９】
2009002619.tif 000011